(57)【要約】【課題】  弾性装置が複数のシャフトのいずれの周辺部とも接触しない家具ヒンジを提供すること。【解決手段】  家具ヒンジはアーム部材と、ケーシングと、内側リンクと、外側リンクと、弾性装置とを含む。ケーシングはアーム部材に対して開閉できる。内側リンクは第１のシャフトを通じてアーム部材に枢結され、第２のシャフトを通じてケーシングに枢結される。外側リンクは第３のシャフトを通じてアーム部材に枢結され、第４のシャフトを通じてケーシングに枢結される。弾性装置はケーシング及びアーム部材の間に作用する弾性力を提供するするとともに、第１のシャフト、第２のシャフト、第３のシャフト及び第４のシャフトのいずれの周辺部とも接触していない。【選択図】  図１
2019210796.tif 000002
【特許請求の範囲】
【請求項１】
アーム部材と、
前記アーム部材に対して開閉するように構成されたケーシングと、
第１の端部及び第２の端部を有する内側リンクであって、該内側リンクの第１の端部は第１のシャフトを通じて前記アーム部材に枢結され、該内側リンクの第２の端部は第２のシャフトを通じて前記ケーシングに枢結される、内側リンクと、
第１の端部及び第２の端部を有する外側リンクであって、該外側リンクの第１の端部は第３のシャフトを通じて前記アーム部材に枢結され、該外側リンクの第２の端部は第４のシャフトを通じて前記ケーシングに枢結される、外側リンクと、
前記ケーシング及び前記アーム部材の間に作用する弾性力を提供するための弾性装置と、
を含む家具ヒンジであって、
前記弾性装置は前記第１のシャフト、前記第２のシャフト、前記第３のシャフト及び前記第４のシャフトのいずれの周辺部とも接触しない、家具ヒンジ。
【請求項２】
前記アーム部材は少なくとも１つの壁部を含み、該少なくとも１つの壁部は第１の取り付け構造を含み、前記弾性装置は第１の取り付け構造に取り付けられるように構成された第２の取り付け構造を含む、請求項１に記載の家具ヒンジ。
【請求項３】
前記第１の取り付け構造及び前記第２の取り付け構造のうちの一方は突起を含み、前記第１の取り付け構造及び前記第２の取り付け構造のうちの他方は該突起に対応する凹部を含む、請求項２に記載の家具ヒンジ。
【請求項４】
前記弾性装置は弾性部材を含み、該弾性部材は第１の弾性部と、第２の弾性部と、該弾性部材の第１の弾性部及び第２の弾性部の間に接続される屈曲部とを含み、該弾性部材の第１の弾性部は第２の取り付け構造を備える、請求項２に記載の家具ヒンジ。
【請求項５】
前記弾性装置は内側弾性部材を含み、該内側弾性部材は第１の弾性部と、第２の弾性部と、該内側弾性部材の第１の弾性部及び第２の弾性部の間に接続される屈曲部とを含み、該内側弾性部材は前記弾性部材の第１の弾性部、第２の弾性部及び屈曲部により定義される空間内に収容され、前記弾性部材の第１の弾性部、第２の弾性部及び屈曲部は前記内側弾性部材の第１の弾性部、第２の弾性部及び屈曲部に位置がそれぞれ対応する、請求項４に記載の家具ヒンジ。
【請求項６】
前記弾性部材の第１の弾性部の端部は前記内側弾性部材の第１の弾性部の端部と実質的に同一平面にあり、前記弾性部材の第２の弾性部の端部は前記内側弾性部材の第２の弾性部の端部と実質的に同一平面にある、請求項５に記載の家具ヒンジ。
【請求項７】
前記弾性部材は前記内側弾性部材と一体化されている、請求項５に記載の家具ヒンジ。
【請求項８】
前記弾性部材の第２の弾性部及び前記内側弾性部材の第２の弾性部は前記内側リンクの第１の端部により押圧されるように構成されている、請求項５に記載の家具ヒンジ。
【請求項９】
前記内側リンクの第１の端部に隣接する位置で前記内側リンクに連結されるキャップをさらに含み、前記弾性部材の第２の弾性部は該キャップと接触するためのガイド面を有する、請求項４に記載の家具ヒンジ。
【請求項１０】
前記アーム部材は第１の壁部と、第２の壁部と、該第１の壁部及び該第２の壁部の間に接続される第３の壁部を含み、前記第１の取り付け構造は該第３の壁部に位置する、請求項２に記載の家具ヒンジ。
【発明の詳細な説明】
【技術分野】
【０００１】
本発明は家具ヒンジ（furniture  hinge）に関する。
【背景技術】
【０００２】
一般に、４つのヒンジリンクを備える家具ヒンジは、家具（例えばキャビネット）の固定コンポーネント（例えばキャビネットのフレーム）に対して可動コンポーネント（例えばドア）を開閉するのを容易にする。例えば、特許文献１にはヒンジケーシング及びヒンジアームを含む家具ヒンジが開示されている。ヒンジケーシング及びヒンジアームは異なる家具部品にそれぞれ取り付けられるように適合されるとともに、複数のヒンジリンク、例えば４つのリンク（又は軸）（９、１０、１１、１２）により互いに接続されている。圧力バネ（例えば脚バネ（leg  spring））はヒンジリンクのうちの１つに作用するとともに、圧力バネをヒンジ軸に取り付けるためにヒンジリンクのヒンジ軸を取り囲む部分を有する。特許文献１の開示は参照により本願に組み込まれる。
【０００３】
特許文献１の図３にはヒンジ軸（又は第３の軸）（１１）に取り付けられるとともに該軸を取り囲こむ（又は巻き付けられる）Ｕ字状脚バネ（１３）が示されているが、Ｕ字状脚バネは、第３の軸にまだ取り付けられていない場合、所定の位置に固定されるよりも、むしろヒンジアーム（１）に対して重ねることしかできない。
【０００４】
特許文献２には４つの軸（ａ、ｂ、ｃ、ｄ）を含むヒンジが開示されている。特許文献２に添付の図１及び図２によれば、固定要素（１０）に対して可動要素（２）を開閉するための弾性力を提供するために、バネ（４０）が軸（ｄ）を取り込む（又は巻き付けられている）。
【０００５】
特許文献３にはヒンジが開示され、係るヒンジは、特許文献３の図に示されるようにヒンジを開閉するための弾性力を提供するために、軸（５１）を取り囲む（又は巻き付けられる）板バネ（５２）を含む。
【０００６】
特許文献４には閉鎖機構を有する家具ヒンジが開示されている。係るヒンジにおいて、板バネ３４はピン（３７）を取り囲むとともに、別のピン（３２）により部分的に適所に固定される。
【先行技術文献】
【特許文献】
【０００７】
【特許文献１】米国特許第６４０１２９８号明細書
【特許文献２】仏国特許出願公開第２４８２９９８号明細書
【特許文献３】実用新案出願公開昭６０−１４８４７２号
【特許文献４】米国特許第６４０１２９８号明細書
【発明の概要】
【発明が解決しようとする課題】
【０００８】
上記４つの特許文献１〜４の全てにおいては、４リンク（軸又はピン）アセンブリのうちの１つのリンクの周りをバネで取り囲むか又は周りに巻き付けてバネをリンクに取り付けることを伴う。しかしながら、前述のバネ取り付け方法、より具体的には、開閉が繰り返された後でバネと４リンク（軸又はピン）アセンブリの対応するリンクとの間の接触に起因し得るヒンジの摩耗又は損傷又は材料のコストを考慮した場合、様々な市場の要望が生じる。
【０００９】
したがって、先行技術には依然として改善の余地があり、本発明は上記に鑑み開発された。
【００１０】
本発明は４つのシャフトを有する家具ヒンジに関し、係る家具ヒンジの弾性機構は家具ヒンジを開閉するための弾性力を提供することができる。
【課題を解決するための手段】
【００１１】
本発明の一態様によれば、家具ヒンジはアーム部材と、ケーシングと、内側リンクと、外側リンクと、弾性装置とを含む。ケーシングはアーム部材に対して開閉できる。内側リンクは第１の端部及び第２の端部を有する。内側リンクの第１の端部は第１のシャフトを通じてアーム部材に枢結され、内側リンクの第２の端部は第２のシャフトを通じてケーシングに枢結される。外側リンクも第１の端部及び第２の端部を有する。外側リンクの第１の端部は第３のシャフトを通じてアーム部材に枢結され、外側リンクの第２の端部は第４のシャフトを通じてケーシングに枢結される。弾性装置はケーシング及びアーム部材の間に作用する弾性力を提供する。弾性装置は第１のシャフト、第２のシャフト、第３のシャフト及び第４のシャフトのいずれの周辺部とも接触しない。
【００１２】
ケーシングがアーム部材に対して開位置から閉位置に動かされる間に弾性装置は第１のシャフト、第２のシャフト、第３のシャフト及び第４のシャフトのいずれに対しても押し付けられず且つずれによっても押圧されないことが好ましい。
【００１３】
弾性装置は第１のシャフト、第２のシャフト、第３のシャフト及び第４のシャフトのいずれの周辺部からも離れていることが好ましい。
【００１４】
アーム部材は少なくとも１つの壁部を含み、該少なくとも１つの壁部は第１の取り付け構造を含み、弾性装置は第１の取り付け構造に取り付けられるべく第２の取り付け構造を含むことが好ましい。
【００１５】
第１の取り付け構造及び第２の取り付け構造のうちの一方は突起を含み、第１の取り付け構造及び第２の取り付け構造のうちの他方は該突起に対応する凹部を含むことが好ましい。
【００１６】
弾性装置は弾性部材を含むことが好ましい。弾性部材は第１の弾性部と、第２の弾性部と、第１の弾性部及び第２の弾性部の間に接続される屈曲部とを含む。弾性部材の第１の弾性部は第２の取り付け構造を備える。
【００１７】
弾性装置は内側弾性部材をさらに含むことが好ましい。内側弾性部材は第１の弾性部と、第２の弾性部と、第１の弾性部及び第２の弾性部の間に接続される屈曲部とを含む。内側弾性部材は弾性部材の第１の弾性部、第２の弾性部及び屈曲部により定義される空間内に収容される。内側弾性部材の第１の弾性部は第２の取り付け構造を備えることが好ましい。
【００１８】
弾性部材の第１の弾性部、第２の弾性部及び屈曲部は内側弾性部材の第１の弾性部、第２の弾性部及び屈曲部に位置がそれぞれ対応することが好ましい。
【００１９】
弾性部材の第１の弾性部の端部は内側弾性部材の第１の弾性部の端部と実質的に同一平面にあり、弾性部材の第２の弾性部の端部は内側弾性部材の第２の弾性部の端部と実質的に同一平面にあることが好ましい。
【００２０】
弾性部材は内側弾性部材と一体化されていることが好ましい。
【００２１】
弾性部材の第２の弾性部は内側リンクの第１の端部により押圧されるように構成されていることが好ましい。
【００２２】
内側弾性部材の第２の弾性部は内側リンクの第１の端部により押圧されるように構成されていることが好ましい。
【００２３】
家具ヒンジは、内側リンクの第１の端部に隣接する位置で内側リンクに連結されるキャップをさらに含み、弾性部材の第２の弾性部は該キャップと接触するためのガイド面を有することが好ましい。
【００２４】
キャップはプラスチックを含むことが好ましい。
【００２５】
弾性部材及び内側弾性部材はＵ字状の弾性プレートであることが好ましい。
【００２６】
アーム部材は第１の壁部と、第２の壁部と、該第１の壁部及び該第２の壁部の間に接続される第３の壁部を含むことが好ましい。第１の取り付け構造は該第３の壁部に位置する。
【図面の簡単な説明】
【００２７】
【図１】図１は、家具部アセンブリに適用された本発明の第１の実施形態に係る家具ヒンジの斜視図である。
【図２】図２は、本発明の第１の実施形態に係る家具ヒンジの斜視図である。
【図３】図３は、本発明の第１の実施形態に係る家具ヒンジの分解斜視図である。
【図４】図４は、図３の領域Ａの拡大図である。
【図５】図５は、図３の領域Ｂの拡大図である。
【図６】図６は、家具部アセンブリの第１の家具部及び第２の家具部に適用された本発明の第１の実施形態に係る家具ヒンジを示す概略図であり、家具ヒンジのケーシングがアーム部材に対して開位置にある。
【図７】図７は、図６の領域Ａの拡大図である。
【図８】図８は、本発明の第１の実施形態に係る家具ヒンジの概略図であり、家具ヒンジのケーシングがアーム部材に対して閉位置にある状態を示す。
【図９】図９は、図８の領域Ａの拡大図である。
【図１０】図１０は、家具部アセンブリに適用された本発明の第２の実施形態に係る家具ヒンジを示す概略図である。
【図１１】図１１は、家具部アセンブリに適用された本発明の第３の実施形態における家具ヒンジを示す概略図である。
【発明を実施するための形態】
【００２８】
図１を参照して、本発明の一実施形態における家具ヒンジ２０は家具部アセンブリ２２に適用されている。家具部アセンブリ２２は第１の家具部２４（例えば、キャビネットのフレーム）及び第２の家具部２６（例えば、キャビネットのドア）を含む。第２の家具部２６は第１の家具部２４に対して開閉できる。
【００２９】
家具ヒンジ２０はアーム部材２８及びケーシング３０を含む。アーム部材２８はヒンジアームであり、第１の家具部２４に取り付けられるように構成されている。例えば、アーム部材２８はネジにより第１の家具部２４に接続できる。この実施形態では、アーム部材２８はフィッティング３２を通じて第１の家具部２４に取り付けられている。他方、ケーシング３０はヒンジカップであり、受容室３４を有する。ケーシング３０は第２の家具部２６に取り付けられるように構成されている。例えば、ケーシング３０はネジにより第２の家具部２６に接続できる。
【００３０】
図２及び図３に示すように、家具ヒンジ２０のアーム部材２８は少なくとも１つの壁部を含み、少なくとも１つの壁部は第１の取り付け構造３６を含む。ここでは、アーム部材２８は第１の壁部３８ａと、第２の壁部３８ｂと、第１の壁部３８ａ及び第２の壁部３８ｂの間に接続される第３の壁部３８ｃ（又は中間壁部３８ｃ）を含み、第１の取り付け構造３６は一例として第３の壁部３８ｃに位置する。より具体的には、第１の壁部３８ａ及び第２の壁部３８ｂは実質的に垂直に第３の壁部３８ｃに接続され、第１の壁部３８ａ、第２の壁部３８ｂ及び第３の壁部３８ｃは家具ヒンジ２０の関連部品を収容するための収容空間４０を共に定義する。
【００３１】
図３及び図４に示すように、家具ヒンジ２０は内側リンク４２、外側リンク４４及び弾性装置４６をさらに含む。
【００３２】
内側リンク４２は第１の端部４８ａと、第１の端部４８ａの反対側の第２の端部４８ｂとを有する。外側リンク４４は第１の端部５０ａと、第１の端部５０ａの反対側の第２の端部５０ｂとを有する。弾性装置４６は、アーム部材２８の第１の取り付け構造３６に取り付けられるように構成された第２の取り付け構造５２を含む（図５及び図７も参照）。第１の取り付け構造３６及び第２の取り付け構造５２は突起と対応する凹部であり得る。本実施形態では、第１の取り付け構造３６は突出部であるのに対して、第２の取り付け構造５２は内部に突出部を取り付けることができる溝又は孔である。しかしながら、実際には、第２の取り付け構造５２が代替的に突出部であるのに対して、第１の取り付け構造３６は対応する溝又は孔であり得るが、本発明はこの点について限定されない。上記の構成は、組み立ての初期段階において弾性装置４６をアーム部材２８の所定の位置でしっかりと維持することを意図したものである。
【００３３】
弾性装置４６は第１の弾性部材５４及び第２の弾性部材５６を含むことが好ましい（ここでは、後者を弾性部材と呼び、前者を内側弾性部材とも言う）。第１の弾性部材５４及び第２の弾性部材５６は、Ｕ字状の弾性プレートであることが好ましい。第１の弾性部材５４及び第２の弾性部材５６は互いに一体化されて互いを支持するとともに互いに当接し合うことが好ましい。より具体的には、第１の弾性部材５４は第１の弾性部５８と、第２の弾性部６０と、第１の弾性部５８及び第２の弾性部６０の間に接続される屈曲部６２とを含む。同様に、第２の弾性部材５６は第１の弾性部６４と、第２の弾性部６６と、第１の弾性部６４及び第２の弾性部６６の間に接続される屈曲部６８を含む。第２の弾性部材５６の第１の弾性部６４、第２の弾性部６６及び屈曲部６８は第１の弾性部材５４を収容するための空間７０を定義する。第２の弾性部材５６の第１の弾性部６４、第２の弾性部６６及び屈曲部６８は第１の弾性部材５４の第１の弾性部５８、第２の弾性部６０及び屈曲部６２と位置がそれぞれ対応する。第２の弾性部材５６の第１の弾性部６４の端部Ｅ１は水平端部（level-end）構成を実現するために第１の弾性部材５４の第１の弾性部５８の端部Ｅ２と実質的に同一平面である。同様に、第２の弾性部材５６の第２の弾性部６６の端部Ｅ３は、水平端部構成を実現するために第１の弾性部材５４の第２の弾性部６０の端部Ｅ４と実質的に同一平面である。第２の弾性部材５６の第１の弾性部６４及び第２の弾性部６６はこのように構成されているため、第１の弾性部材５４の第１の弾性部５８及び第２の弾性部６０は、第２の弾性部材５６の第１の弾性部６４及び第２の弾性部６６とそれぞれ当接するため、第１の弾性部材５４及び第２の弾性部材５６が二層弾性構造になる。一例として、本実施形態における第２の取り付け構造５２は第１の弾性部材５４の第１の弾性部５８及び第２の弾性部材５６の第１の弾性部６４に設けられる。したがって、第２の取り付け構造５２が第１の取り付け構造３６に一度取り付けられると、第１の弾性部材５４の第１の弾性部５８及び第２の弾性部材５６の第２の弾性部６６の双方はアーム部材２８の第３の壁部３８ｃに押し付けられる。なお、別の実施形態では、第２の弾性部材５６の第２の弾性部６６のみが第２の取り付け構造５２を備える。
【００３４】
図６及び図７に示すように、ケーシング３０（又は第２の家具部２６）はアーム部材２８（又は第１の家具部２４）に対して開くことができる。弾性装置４６はケーシング３０及びアーム部材２８の間に作用する弾性力を提供する。弾性装置４６の第２の取り付け構造５２はアーム部材２８の第１の取り付け構造３６に取り付けられるか又は位置する。
【００３５】
より具体的には、内側リンク４２の第１の端部４８ａは第１のシャフト７２を通じてアーム部材２８に枢結され、内側リンク４２の第２の端部４８ｂは第２のシャフト７４を通じてケーシング３０に枢結されている。同様に、外側リンク４４の第１の端部５０ａは第３のシャフト７６を通じてアーム部材２８に枢結され、外側リンク４４の第２の端部５０ｂは第４のシャフト７８を通じてケーシング３０に枢結されている。第１の弾性部材５４の第２の弾性部６０及び／又は第２の弾性部材５６の第２の弾性部６６は、内側リンク４２の第１の端部４８ａにより押圧されるように構成されていることが好ましい。家具ヒンジ２０はキャップ８０をさらに含み、キャップ８０は第１の端部４８ａに隣接する位置で内側リンク４２に連結され、第１の弾性部材５４の第２の弾性部６０及び／又は第２の弾性部材５６の第２の弾性部６６は湾曲面等の対応するガイド面８２を有することが好ましい。ガイド面８２は、ケーシング３０（又は第２の家具部２６）がアーム部材２８（又は第１の家具部２４）に対して開いている場合に、キャップ８０と接触するように構成されている。キャップ８０はプラスチックを含み、第１のシャフト７２の周囲を取り囲む部分を有することが好ましい。
【００３６】
加えて、アーム部材２８の第３の壁部３８ｃの内側は、第１の弾性部材５４の第１の弾性部５８及び第２の弾性部材５６の第１の弾性部６４に押圧され、キャップ８０は第１の弾性部材５４の第２の弾性部６０及び第２の弾性部材５６の第２の弾性部６６に押圧される。そのため、弾性装置４６がケーシング３０及びアーム部材２８の間に作用する弾性力を提供できるように第１の弾性部材５４の第１の弾性部５８及び第２の弾性部材５６の第１の弾性部６４はアーム部材２８に直接作用し、第１の弾性部材５４の第２の弾性部６０及び第２の弾性部材５６の第２の弾性部６６は間接的に（即ちキャップ８０を通じて）ケーシング３０に作用する。
【００３７】
図６及び図８に示すように、ケーシング３０（又は第２の家具部２６）は、ユーザーの操作によりアーム部材２８（又は第１の家具部２４）に対して開位置から閉位置に動かすことができる。ケーシング３０（又は第２の家具部２６）をアーム部材２８（又は第１の家具部２４）に対して開位置から閉位置に動かす過程で、弾性装置４６はケーシング３０とアーム部材２８との間に作用する弾性力を提供することにより、ケーシング３０をアーム部材２８に対して開位置から閉位置に動かす力（例えば閉鎖力）をケーシング３０に伝える。
【００３８】
図８及び図９を参照して、ケーシング３０（又は第２の家具部２６）がアーム部材２８（又は第１の家具部２４）に対して閉じられた場合、キャップ８０はガイド面８２から離れており、内側リンク４２の第１の端部４８ａはキャップ８０を通じて第１の弾性部材５４の第２の弾性部６０及び第２の弾性部材５６の第２の弾性部６６を押圧する。さらに、内側リンク４２及び外側リンク４４はケーシング３０の受容室３４内に収容されている。
【００３９】
なお、弾性装置４６は第１のシャフト７２、第２のシャフト７４、第３のシャフト７６及び第４のシャフト７８のいずれの周辺部Ｐとも接触していない（あるいは各シャフトの周辺部Ｐから離れている）ため、弾性装置４６（例えば、第１の弾性部材５４又は第２の弾性部材５）は先行技術の弾性装置程長くなる必要がないか又は先行技術の弾性装置程多量の材料を使う必要がない。加えて、図６〜図９に示すように、第１の取り付け構造３６及び第２の取り付け構造５２は、ケーシング３０（又は第２の家具部２６）がアーム部材２８（又は第１の家具部２４）に対して開位置から閉位置に動かされる過程で弾性装置４６が第１のシャフト７２、第２のシャフト７４、第３のシャフト７６及び第４のシャフト７８のいずれにも押し付けられず押圧されないように取り付けられる。即ち、弾性装置４６は第１のシャフト７２、第２のシャフト７４、第３のシャフト７６又は第４のシャフト７８に支持されない。
【００４０】
図１０は、家具部アセンブリ２０２に適用された本発明の第２の実施形態に係る家具ヒンジ２００を示す。第１の弾性部材５４及び第２の弾性部材５６で構成される二層弾性構造である第１の実施形態の弾性装置４６とは異なり、第２の実施形態の家具ヒンジ２００の弾性装置２０４は、予め加工して折り畳み二層弾性構造に形成された一つの材料で構成される。即ち、第２の実施形態の弾性部材２０６は、第１の実施形態の第２の弾性部材５６及び第１の弾性部材５４を一体化したものと概ね見なすことができる。弾性装置２０４の弾性部材２０６の第２の取り付け構造２１２は、弾性装置２０４のアーム部材２０８の第１の取り付け構造２１０に取り付けられるように構成されている。
【００４１】
図１１は、家具部アセンブリ３０２に適用された本発明の第３の実施形態の家具ヒンジ３００を示す。第１の弾性部材５４及び第２の弾性部材５６で構成される二層弾性構造である第１の実施形態の弾性装置４６とは異なり、第３の実施形態の家具ヒンジ３００の弾性装置３０４は単層弾性構造の弾性部材３０６を含む。即ち、第３の実施形態の弾性部材２０６は、第１の実施形態の第２の弾性部材５６を単独で用いたものと概ね見なすことができる。弾性装置３０４の弾性部材３０６の第２の取り付け構造３１２は弾性装置３０４のアーム部材３０８の第１の取り付け構造３１０に取り付けられるように構成されている。
【００４２】
上記から、本願に開示の家具ヒンジは下記の特徴を有することが好ましいことが分かる。
【００４３】
１）弾性装置４６は第１のシャフト７２、第２のシャフト７４、第３のシャフト７６及び第４のシャフト７８のいずれの周辺部Ｐとも接触していないため（あるいは各シャフトの周辺部Ｐから離れているため）、先行技術の弾性装置よりも長さをより短くでき、用いる材料も少なくなる。
【００４４】
２）第１の取り付け構造３６及び第２の取り付け構造５２は、ケーシング３０をアーム部材２８に対して開位置から閉位置に動かす過程で弾性装置４６が第１のシャフト７２、第２のシャフト７４、第３のシャフト７６及び第４のシャフト７８のいずれに対しても押し付けられず且つ押圧されないように取り付けられる。
【００４５】
３）第２の弾性部材５６の第１の弾性部６４の端部Ｅ１は、水平端部構成を実現するために第１の弾性部材５４の第１の弾性部５８の端部Ｅ２と実質的に同一平面にある。同様に、第２の弾性部材５６の第２の弾性部６６の端部Ｅ３は、水平端部構成を実現するために第１の弾性部材５４の第２の弾性部６０の端部Ｅ４と実質的に同一平面にある。
【００４６】
４）本願に開示のいずれの家具ヒンジの弾性装置もアセンブリの組み立ての初期段階で所定の位置に固定でき、家具ヒンジの弾性構成の安定性を確かなものにする。
【００４７】
上述の好ましい実施形態を通じて本発明を開示してきたが、これらの実施形態は本発明の範囲を限定することを意図したものではない。出願人が求める特許の保護範囲は添付の特許請求の範囲によって定義される。
【符号の説明】
【００４８】
２０  家具ヒンジ
２２  家具部アセンブリ
２４  第１の家具部
２６  第２の家具部
２８  アーム部材
３０  ケーシング
３２  フィッティング
３４  受容室
３６  第１の取り付け構造
３８ａ  第１の壁部
３８ｂ  第２の壁部
３８ｃ  第３の壁部
４２  内側リンク
４４  外側リンク
４６  弾性装置
４８ａ  第１の端部
４８ｂ  第２の端部
５０ａ  第１の端部
５０ｂ  第２の端部
５２  第２の取り付け構造
５４  第１の弾性部材
５６  第２の弾性部材
５８  第１の弾性部
６０  第２の弾性部
６２  屈曲部
６４  第１の弾性部
６６  第２の弾性部
６８  屈曲部
７０  空間
７２  第１のシャフト
７４  第２のシャフト
７６  第３のシャフト
７８  第４のシャフト
８０  キャップ
８２  ガイド面
【図１】
2019210796.tif 000003
【図２】
2019210796.tif 000004
【図３】
2019210796.tif 000005
【図４】
2019210796.tif 000006
【図５】
2019210796.tif 000007
【図６】
2019210796.tif 000008
【図７】
2019210796.tif 000009
【図８】
2019210796.tif 000010
【図９】
2019210796.tif 000011
【図１０】
2019210796.tif 000012
【図１１】
2019210796.tif 000013